(57)【要約】【課題】フィルターユニットを安価に製造する。【解決手段】画像形成装置１００は、画像形成部１４と、ファン６１と、筐体１０と、フィルターユニット６３とを備える。フィルターユニット６３は、ファン６１に対向して筐体１０の外側に配置される。フィルターユニット６３は、本体カバー７と、フィルターカバー８と、フィルター９とを備える。フィルターカバー８は、本体カバー８に対して開閉自在である。フィルターカバー８は、第１方向Ｄ１に沿って間隔ＤＬ１をおいて配列される複数の第１リブ８２を有する。本体カバー７は、第２方向Ｄ２に沿って延びる複数の第２リブ７２を有する。フィルターカバー８が閉状態で、複数の第２リブ７２の各々は、複数の第１リブ８２のうちの互いに隣接する２つの第１リブ８２の間に配置されて、筐体１０の外側に向けて突出する。フィルター９は、本体カバー７とフィルターカバー８との間に配置される。【選択図】図２
2019098227.tif 000002
【特許請求の範囲】
【請求項１】
記録媒体に画像を形成する画像形成部と、
前記画像形成部を収納する筐体と、
前記筐体内の空気を前記筐体の外部に排出するファンと、
前記ファンに対向して前記筐体の外側に配置されるフィルターユニットと
を備え、
前記フィルターユニットは、
フィルターと、
支点を有する本体カバーと
前記本体カバーに対して前記筐体の外側に配置され、前記支点を中心に回動可能であるフィルターカバーと
を備え、
前記フィルターカバーは、前記本体カバーに対して開閉自在であり、
前記フィルターカバーは、第１方向に沿って間隔をおいて配列される複数の第１リブを有し、
前記複数の第１リブの各々は、前記第１方向と交差する第２方向に沿って延びる板状部材であり、
前記本体カバーは、複数の第２リブを有し、
前記複数の第２リブの各々は、前記第２方向に沿って延びる板状部材であり、
前記フィルターカバーが閉状態で、前記複数の第２リブの各々は、前記複数の第１リブのうちの互いに隣接する２つの第１リブの間に配置されて、前記筐体の外側に向けて突出し、
前記フィルターは、前記本体カバーと前記フィルターカバーとの間に配置される、画像形成装置。
【請求項２】
前記フィルターカバーが開状態で、前記複数の第１リブの各々の前記本体カバー側の端部を覆うように前記フィルターが前記フィルターカバーに配置され、前記フィルターの前記第１方向の両側端部は、前記フィルターカバーに固定される、請求項１に記載の画像形成装置。
【請求項３】
前記フィルターの前記第１方向の両側端部のうちの少なくとも一方の端部には、前記フィルターに作用する張力が前記端部に印加されることを抑制する外れ防止部材が配置されている、請求項２に記載の画像形成装置。
【請求項４】
前記フィルターカバーが開状態で、前記フィルターが前記フィルターカバーに対して着脱自在である、請求項１から請求項３のいずれか１項に記載の画像形成装置。
【請求項５】
前記複数の第１リブのうちの少なくとも１つの第１リブは、回転部材を有し、
前記回転部材は、前記１つの第１リブに対して回転自在であり、
前記回転部材は、前記１つの第１リブの前記本体カバー側の端部に配置され、
前記回転部材の回転軸は、前記第２方向に沿って延びる、請求項１から請求項４のいずれか１項に記載の画像形成装置。
【請求項６】
前記複数の第２リブのうちの少なくとも１つの第２リブは、回転部材を有し、
前記回転部材は、前記１つの第２リブに対して回転自在であり、
前記回転部材は、前記１つの第２リブの前記フィルターカバー側の端部に配置され、
前記回転部材の回転軸は、前記第２方向に沿って延びる、請求項５に記載の画像形成装置。
【請求項７】
前記複数の第１リブは、複数の特定第１リブを備え、
前記複数の第２リブは、複数の特定第２リブを備え、
前記特定第１リブは、前記複数の第１リブのうちの前記回転部材を有する第１リブを示し、
前記特定第２リブは、前記複数の第２リブのうちの前記回転部材を有する第２リブを示し、
前記複数の特定第１リブのうちの互いに隣接する特定第１リブの間には、１つの前記特定第２リブが配置され、
前記複数の特定第２リブのうちの互いに隣接する特定第２リブの間には、１つの前記特定第１リブが配置され、
前記特定第１リブと前記特定第２リブとの間には、少なくとも１つの非特定第１リブ、又は非特定第２リブが配置され、
前記非特定第１リブは、前記複数の第１リブのうちの前記回転部材を有しない第１リブを示し、
前記非特定第２リブは、前記複数の第２リブのうちの前記回転部材を有しない第１リブを示す、請求項６に記載の画像形成装置。
【請求項８】
前記複数の第１リブのうちの少なくとも１つの第１リブは、基端部材と複数の先端部材とを備え、
前記基端部材は、矩形平板状に形成され、
前記複数の先端部材の各々は、略半円形の平板状に形成されて、前記基端部材に固定され、
前記複数の先端部材のうちの互いに隣接する２つの先端部材の間には、間隙が形成されている、請求項１から請求項７のいずれか１項に記載の画像形成装置。
【請求項９】
前記複数の第１リブは、前記ファンの回転軸から離間する程前記間隔が小さくなるように、配置される、請求項１から請求項８のいずれか１項に記載の画像形成装置。
【請求項１０】
前記ファンの回転軸から離間する程突出距離が大きくなるように、前記複数の第２リブの各々が形成され、
前記突出距離は、前記複数の第２リブの各々が、前記複数の第１リブの各々の前記本体カバー側の端部に対して前記筐体の外側に向けて突出する距離を示す、請求項１から請求項９のいずれか１項に記載の画像形成装置。
【請求項１１】
前記フィルターには、複数の孔が形成されている、請求項１から請求項１０のいずれか１項に記載の画像形成装置。
【請求項１２】
前記フィルターは、初期形状がプリーツ状である、請求項１から請求項１１のいずれか１項に記載の画像形成装置。
【請求項１３】
ファンに対向して筐体の外側に配置されるフィルターユニットであって、
フィルターと、
支点を有する本体カバーと
前記本体カバーに対して前記筐体の外側に配置され、前記支点を中心に回動可能に構成されるフィルターカバーと
を備え、
前記フィルターカバーは、前記本体カバーに対して開閉自在であり、
前記フィルターカバーは、第１方向に沿って間隔をおいて配列される複数の第１リブを有し、
前記複数の第１リブの各々は、前記第１方向と交差する第２方向に沿って延びる板状部材であり、
前記本体カバーは、複数の第２リブを有し、
前記複数の第２リブの各々は、前記第２方向に沿って延びる板状部材であり、
前記フィルターカバーが閉状態で、前記複数の第２リブの各々は、前記複数の第１リブのうちの互いに隣接する２つの第１リブの間に配置されて、前記筐体の外側に向けて突出し、
前記フィルターは、前記本体カバーと前記フィルターカバーとの間に配置される、フィルターユニット。
【発明の詳細な説明】
【技術分野】
【０００１】
本発明は、画像形成装置、及びフィルターユニットに関する。
【背景技術】
【０００２】
特許文献１に記載のフィルターユニットは、フィルターと、支持構造とを備える。フィルターは、プリーツ形状を有する。支持構造は、接着手段と、フィルター枠と、第１のフィルター支持材と、第２のフィルター支持材とを有する。接着手段は、フィルターの全周をフィルター枠に接着する。第１のフィルター支持材は、フィルターの稜線に平行な方向にその頂点の位置を１ピッチ毎に支持する。第２のフィルター支持材は、フィルターの稜線に平行な方向にその頂点の位置を１ピッチ毎に支持する。第１のフィルター支持材が支持する頂点と、第２のフィルター支持材が支持する頂点とは相違する。フィルターは、第１のフィルター支持材と第２のフィルター支持材とに狭持される。
【先行技術文献】
【特許文献】
【０００３】
【特許文献１】特開２０１４−２８３２９号公報
【発明の概要】
【発明が解決しようとする課題】
【０００４】
特許文献１に記載のフィルターユニットでは、プリーツ形状を有するフィルターを用いるため、平板状のフィルターを用いる場合と比較して、フィルターのコストが増加し、フィルターユニットの製造コストが増加する。
【０００５】
本発明は、上記課題に鑑みてなされたものであり、安価に製造可能なフィルターユニットを備える画像形成装置、及びフィルターユニットを提供することを目的としている。
【課題を解決するための手段】
【０００６】
本発明に係る画像形成装置は、画像形成部と、筐体と、ファンと、フィルターユニットとを備える。前記画像形成部は、記録媒体に画像を形成する。前記筐体は、前記画像形成部を収納する。前記ファンは、前記筐体内の空気を前記筐体の外部に排出する。前記フィルターユニットは、前記ファンに対向して前記筐体の外側に配置される。前記フィルターユニットは、フィルターと、本体カバーと、フィルターカバーとを備える。前記本体カバーは、支点を有する。前記フィルターカバーは、前記本体カバーに対して前記筐体の外側に配置され、前記支点を中心に回動可能である。前記フィルターカバーは、前記本体カバーに対して開閉自在である。前記フィルターカバーは、第１方向に沿って間隔をおいて配列される複数の第１リブを有する。前記複数の第１リブの各々は、前記第１方向と交差する第２方向に沿って延びる板状部材である。前記本体カバーは、複数の第２リブを有する。前記複数の第２リブの各々は、前記第２方向に沿って延びる板状部材である。前記フィルターカバーが閉状態で、前記複数の第２リブの各々は、前記複数の第１リブのうちの互いに隣接する２つの第１リブの間に配置されて、前記筐体の外側に向けて突出する。前記フィルターは、前記本体カバーと前記フィルターカバーとの間に配置される。
【０００７】
本発明に係るフィルターユニットは、フィルターと、本体カバーと、フィルターカバーとを備える。前記本体カバーは、支点を有する。前記フィルターカバーは、前記本体カバーに対して前記筐体の外側に配置され、前記支点を中心に回動可能である。前記フィルターカバーは、前記本体カバーに対して開閉自在である。前記フィルターカバーは、第１方向に沿って間隔をおいて配列される複数の第１リブを有する。前記複数の第１リブの各々は、前記第１方向と交差する第２方向に沿って延びる板状部材である。前記本体カバーは、複数の第２リブを有する。前記複数の第２リブの各々は、前記第２方向に沿って延びる板状部材である。前記フィルターカバーが閉状態で、前記複数の第２リブの各々は、前記複数の第１リブのうちの互いに隣接する２つの第１リブの間に配置されて、前記筐体の外側に向けて突出する。前記フィルターは、前記本体カバーと前記フィルターカバーとの間に配置される。
【発明の効果】
【０００８】
本発明に係る画像形成装置、及びフィルターユニットによれば、フィルターユニットを安価に製造できる。
【図面の簡単な説明】
【０００９】
【図１】本発明の実施形態に係る画像形成装置の構成を示す図である。
【図２】本発明の実施形態に係るフィルターユニットの構成を示す図である。
【図３】本発明の実施形態に係るフィルターユニットの構成を示す図である。
【図４】本発明の実施形態に係るフィルターユニットの組み立て手順を示すフローチャートである。
【図５】回転部材の構成を示す図である。（ａ）は、第１実施形態に係る回転部材の構成を示す図である。（ｂ）は、第２実施形態に係る回転部材の構成を示す図である。（ｃ）は、第３実施形態に係る回転部材の構成を示す図である。
【図６】第２リブの構成を示す図である。（ａ）は、第１実施形態に係る第２リブの構成を示す図である。（ｂ）は、第２実施形態に係る第２リブの構成を示す図である。
【発明を実施するための形態】
【００１０】
以下、本発明の実施形態について、図面（図１〜図６）を参照しながら説明する。なお、図中、同一又は相当部分については同一の参照符号を付して説明を繰り返さない。
【００１１】
まず、図１を参照して、本実施形態に係る画像形成装置１００の構成について説明する。図１は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１２】
図１に示すように、画像形成装置１００は、画像形成ユニット１、画像読取ユニット２、原稿搬送ユニット３、操作パネル４及び制御部５を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル４は、ユーザーからの操作を受け付ける。制御部５は、画像形成装置１００の動作を制御する。
【００１３】
図１には、互いに直交するＸ軸、Ｙ軸及びＺ軸を記載している。Ｘ軸及びＹ軸は、水平面と平行である。Ｚ軸は、鉛直方向と平行である。以下の説明において、Ｙ軸の正方向側を背面側といい、Ｙ軸の負方向側を前面側という場合がある。
【００１４】
画像形成ユニット１は、筐体１０、給送部１２、搬送部Ｌ、トナー供給部１３、画像形成部１４、定着部１６、排出部１７及び排気ユニット６を備える。画像形成部１４は、転写部１５を含む。筐体１０には、給送部１２、搬送部Ｌ、トナー供給部１３、画像形成部１４、定着部１６及び排出部１７が収納される。排気ユニット６は、筐体１０のＸ軸の正方向側の側面に配置される。
【００１５】
給送部１２は、用紙Ｐを搬送部Ｌへ供給する。搬送部Ｌは、用紙Ｐを転写部１５及び定着部１６を経由して排出部１７まで搬送する。
【００１６】
トナー供給部１３は、画像形成部１４にトナーを供給する。画像形成部１４は、用紙Ｐに画像を形成する。
【００１７】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１８】
定着部１６は、用紙Ｐを加熱及び加圧し、用紙Ｐに形成された画像を用紙Ｐに定着する。排出部１７は、用紙Ｐを画像形成装置１００の外部へ排出する。
【００１９】
操作パネル４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２０】
制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００２１】
排気ユニット６は、筐体１０内の空気を筐体１０の外部に排出する。排気ユニット６は、定着部１６に対向する位置に配置される。
【００２２】
なお、図１を参照して説明したように、本発明の実施形態では、排気ユニット６が、定着部１６に対向する位置に配置されるが、本発明はこれに限定されない。排気ユニット６が、筐体１０内の空気を筐体１０の外部に排出すればよい。例えば、排気ユニット６が、筐体１０の背面側の側面に配置されてもよい。また、例えば、排気ユニット６が、画像形成部１４に対向する位置に配置されてもよい。
【００２３】
次に、図１〜図３を参照して、排気ユニット６の構成について説明する。図２及び図３は、排気ユニット６の構成を示す図である。図２に示すように、排気ユニット６は、ファン６１、ダクト６２及びフィルターユニット６３を備える。フィルターユニット６３は、本体カバー７、フィルターカバー８及びフィルター９を備える。図２では、フィルターカバー８が開状態である。
【００２４】
ファン６１は、筐体１０内の空気を筐体１０の外部に排出する。
【００２５】
ダクト６２は、ファン６１によって生成された空気の流れをフィルターユニット６３に向かうようにガイドする。ダクト６２は、略円筒状に形成される。
【００２６】
フィルターカバー８は、本体カバー７に対して筐体１０の外側に配置される。フィルターカバー８は、第１カバー本体８１と、複数の第１リブ８２と、第１外れ防止部材８４とを備える。第１カバー本体８１は、複数の通気口８３と支軸８１１とを有する。
【００２７】
第１カバー本体８１は、略矩形の平板状部材である。支軸８１１は、Ｙ軸方向に沿って延びる。第１カバー本体８１は、支軸８１１を中心に回動可能である。通気口８３は、Ｙ軸方向に沿って延び、略矩形状に形成される。
【００２８】
複数の第１リブ８２の各々は、第１カバー本体８１に立設される。複数の第１リブ８２は、第１方向Ｄ１に沿って間隔ＤＬ１をおいて配列される。第１方向Ｄ１は、Ｘ−Ｚ平面、及び第１カバー本体８１と平行な方向を示す。本発明の実施形態では、複数の間隔ＤＬ１は略均一である。すなわち、複数の第１リブ８２のうちの互いに隣接する２つの第１リブ８２の間隔は、間隔ＤＬ１と一致する。複数の第１リブ８２の各々は、第２方向Ｄ２に沿って延びる板状部材である。第２方向Ｄ２は、Ｙ軸方向と平行である。複数の第１リブ８２のうちの互いに隣接する２つの第１リブ８２の間には、通気口８３が形成されている。
【００２９】
複数の第１リブ８２の各々の先端には、回転部材８２１が配置されている。回転部材８２１は、第１リブ８２に対して回転自在である。具体的には、回転部材８２１は、回転軸８２１ａを中心に回転する。回転部材８２１は、第２方向Ｄ２に沿って延びる円柱状部材である。回転軸８２１ａは、第２方向Ｄ２に沿って延びる円柱状部材である。回転軸８２１ａの第２方向Ｄ２の両端は第１リブ８２に支持されている。
【００３０】
本体カバー７は、筐体１０に固定される。本体カバー７は、第２カバー本体７１と、複数の第２リブ７２と、第２外れ防止部材７４とを備える。第２カバー本体７１は、複数の通気口７３と、支持孔７１１とを有する。
【００３１】
第２カバー本体７１は、矩形の箱状に形成される。第２カバー本体７１は、Ｙ−Ｚ平面と平行に配置される。通気口７３は、第２方向Ｄ２に沿って延び、略矩形状に形成される。支持孔７１１は、第２方向Ｄ２に延びる。支持孔７１１には、支軸８１１が回転自在に挿通される。支持孔７１１は、「支点」の一例に相当する。
【００３２】
複数の第２リブ７２の各々は、第２カバー本体７１に立設される。複数の第２リブ７２の各々は、Ｚ軸方向に沿って間隔ＤＬ２をおいて配列される。本発明の実施形態では、複数の間隔ＤＬ２は略均一である。すなわち、複数の第２リブ７２のうちの互いに隣接する２つの第２リブ７２の間隔は、間隔ＤＬ２と一致する。本発明の実施形態では、間隔ＤＬ２は、間隔ＤＬ１と略一致する。複数の第２リブ７２の各々は、Ｙ軸方向に沿って延びる板状部材である。複数の第２リブ７２のうちの互いに隣接する２つの第２リブ７２の間には、通気口７３が形成されている。
【００３３】
フィルター９は、初期形状が平板状である。フィルター９は、第１方向Ｄ１の一方側端部９１と他方側端部９２とを有する。フィルター９が複数の第１リブ８２の各々の先端を覆うように、フィルター９はフィルターカバー８に配置される。「先端」は、「本体カバー側の端部」に相当する。フィルター９の第１方向Ｄ１の両側端部（一方側端部９１及び他方側端部９２）は、フィルターカバー８（第１カバー本体８１）に固定される。また、一方側端部９１及び他方側端部９２の各々は、フィルターカバー８に着脱自在である。例えば、一方側端部９１及び他方側端部９２の各々は、フィルターカバー８に接着剤で接着される。
【００３４】
第１外れ防止部材８４と第２外れ防止部材７４とについては、後述にて図３を参照して詳細に説明する。
【００３５】
次に、図３を参照して、排気ユニット６の構成について更に説明する。図３では、フィルターカバー８が閉状態である点で図２と相違している。
【００３６】
図３に示すように、フィルターカバー８が閉状態では、複数の第２リブ７２の各々は、複数の第１リブ８２のうちの互いに隣接する２つの第１リブ８２の間に配置されて、筐体１０の外側（Ｘ軸の正方向）に向けて突出する。また、フィルター９は、本体カバー７とフィルターカバー８との間に配置される。
【００３７】
具体的には、フィルター９は、複数の第１リブ８２の各々の先端（回転部材８２１）と、複数の第２リブ７２の各々の先端とによって押圧される。その結果、フィルター９は、プリーツ形状に形成される。
【００３８】
第１外れ防止部材８４は、第１カバー本体８１に立設される。第１外れ防止部材８４は、Ｙ軸方向に沿って延びる板状部材である。フィルター９の一方側端部９１は、第１外れ防止部材８４の基端に固定される。
【００３９】
第２外れ防止部材７４は、第２カバー本体７１に立設される。第２外れ防止部材７４は、Ｙ軸方向に沿って延びる板状部材である。フィルターカバー８が閉状態では、第２外れ防止部材７４は、第１外れ防止部材８４と近接する位置に配置される。具体的には、複数の第２リブ７２のうちの最もＺ軸の正方向側（上側）に配置される第２リブ７２に近接して、第２外れ防止部材７４は配置される。
【００４０】
第２外れ防止部材７４と第１外れ防止部材８４とによって、フィルター９は図３に示すように折り曲げられる。その結果、フィルター９に作用する張力が一方側端部９１に印加されることを抑制する。第１外れ防止部材８４と第２外れ防止部材７４とは、「外れ防止部材」の一例に相当する。
【００４１】
矢印Ｗは、空気の流れの方向と速さとを示す。矢印Ｗの長さが長い程、空気の流れの速さが速い。すなわち、ファン６１の回転軸ＣＬから離間する程、風速が速くなる。
【００４２】
以上、図１〜図３を参照して説明したように、本発明の実施形態では、フィルターカバー８が開状態で、複数の第１リブ８２の各々の先端部（回転部材８２１）を覆うようにフィルター９がフィルターカバー８に配置される。そして、フィルターカバー８が閉状態で、複数の第２リブ７２の各々は、複数の第１リブ８２のうちの互いに隣接する２つの第１リブ８２の間に配置されて、筐体１０の外側（Ｘ軸の正方向）に向けて突出するように形成される。よって、例えば、平板状のフィルター９の両側端部をフィルターカバー８（第１カバー本体８１）に固定し、フィルターカバー８を閉めることによって、フィルター９をプリーツ形状とすることができる。したがって、安価なシート状のフィルター９をプリーツ形状に形成できる。その結果、フィルターユニット６３を安価に製造できる。
【００４３】
また、フィルター９の第１方向Ｄ１の両側端部（一方側端部９１及び他方側端部９２）は、フィルターカバー８（第１カバー本体８１）に固定されるため、フィルターカバー８を閉めることでフィルター９をプリーツ形状とすることができる。したがって、安価なシート状のフィルター９を容易にプリーツ形状に形成できる。
【００４４】
更に、第２外れ防止部材７４と第１外れ防止部材８４とは、フィルター９に作用する張力が端部（一方側端部９１）に印加されることを抑制する。したがって、フィルター９の端部（一方側端部９１）がフィルターカバー８から外れることを抑制できる。
【００４５】
また、フィルター９がフィルターカバー８に対して着脱自在であるため、フィルター９を容易に交換できる。
【００４６】
更に、複数の第１リブ８２の各々は、その先端に、第１リブ８２に対して回転自在に構成された回転部材８２１を有する。よって、第１リブ８２に対してフィルター９が移動し易くなる。したがって、フィルターカバー８を開状態から閉状態にする際に、フィルター９が第１リブ８２によって損傷を受ける可能性を低減できる。また、フィルターカバー８の開閉が容易になり、フィルター９を容易に交換できる。
【００４７】
なお、本発明の実施形態では、複数の第１リブ８２の各々が、回転部材８２１を有するが、本発明はこれに限定されない。複数の第１リブ８２のうちの少なくとも１つの第１リブ８２が回転部材８２１を有すればよい。例えば、複数の第１リブ８２のうちの第１方向Ｄ１の両端に配置された第１リブ８２のみが回転部材８２１を有してもよい。
【００４８】
また、本発明の実施形態では、複数の第１リブ８２の各々が、回転部材８２１を有するが、本発明はこれに限定されない。複数の第２リブ７２のうちの少なくとも１つの第２リブ７２が回転部材を有してもよい。例えば、複数の第２リブ７２の各々が、回転部材を有してもよい。
【００４９】
更に、複数の第１リブ８２の各々が、回転部材８２１を有するが、本発明はこれに限定されない。複数の第１リブ８２のうちの少なくとも１つの第１リブ８２が回転部材８２１を有し、且つ、複数の第２リブ７２のうちの少なくとも１つの第２リブ７２が回転部材を有してもよい。
【００５０】
例えば、複数の第１リブ８２が複数の特定第１リブを有し、複数の第２リブ７２が複数の特定第２リブを有する。特定第１リブは、複数の第１リブ８２のうちの回転部材を有する第１リブ８２を示す。特定第２リブは、複数の第２リブ７２のうちの回転部材を有する第２リブ７２を示す。複数の特定第１リブのうちの互いに隣接する特定第１リブの間には、１つの特定第２リブが配置される。複数の特定第２リブのうちの互いに隣接する特定第２リブの間には、１つの特定第１リブが配置される。特定第１リブと、特定第２リブとの間には、少なくとも１つの非特定第１リブ、又は非特定第２リブが配置される。非特定第１リブは、複数の第１リブ８２のうちの回転部材を有しない第１リブ８２を示す。非特定第２リブは、複数の第２リブ７２のうちの回転部材を有しない第２リブ７２を示す。
【００５１】
また、本発明の実施形態では、複数の第１リブ８２は、第１方向Ｄ１に沿って間隔ＤＬ１をおいて配列されるが、本発明はこれに限定されない。複数の第１リブ８２が、間隔を空けて配列されればよい。例えば、複数の第１リブ８２が、ファン６１の回転軸ＣＬから離間する程間隔ＤＬ１が小さくなるように、配置されてもよい。この場合には、風速の小さい位置と比較して、風速の大きい位置でのフィルター９のＺ軸方向の単位長さ当たりのプリーツの個数が多くなる。したがって、フィルター９の集塵効果を向上できる。
【００５２】
また、本発明の実施形態では、複数の第２リブ７２は、図３に示す突出距離ＬＰが一定になるように形成されているが、本発明はこれに限定されない。突出距離ＬＰは、複数の第２リブ７２の各々が、複数の第１リブ８２の各々の先端に対してＸ軸の正方向に向けて突出する距離を示す。突出距離ＬＰが一定でなくてもよい。例えば、ファン６１の回転軸ＣＬから離間する程突出距離ＬＰが大きくなるように、複数の第２リブ７２の各々が形成されてもよい。この場合には、風速の小さい位置と比較して、風速の大きい位置でのフィルター９のプリーツの高さ（Ｘ軸方向の高さ）が高くなる。したがって、フィルター９の集塵効果を向上できる。
【００５３】
また、本発明の実施形態では、フィルター９には、孔が形成されていないが、本発明はこれに限定されない。例えば、フィルター９に複数の孔が形成されていてもよい。具体的には、複数の孔の各々は、円形状の孔であって、直径は２ｍｍである。また、複数の孔の各々は、フィルター９に格子状に等間隔で配置されている。この場合には、孔を通る空気はフィルター９を通過するための空気抵抗を受けない。よって、フィルター９の空気抵抗を低減できる。したがって、厚手のフィルター９を使用できる。その結果、フィルター９の寿命を延ばすことができる。
【００５４】
また、本発明の実施形態では、フィルター９は、初期形状が平板状であるが、本発明はこれに限定されない。例えば、フィルター９は、初期形状がプリーツ状でもよい。この場合には、フィルターカバー８を開状態から閉状態にするときに、フィルターカバー８に付与する外力を低減できる。したがって、フィルター９の交換が更に容易になる。
【００５５】
次に、図２〜図４を参照して、フィルターユニット６３の組み立て手順について説明する。図４は、フィルターユニット６３の組み立て手順を示すフローチャートである。
図４に示すように、まず、ステップＳ１において、フィルターカバー８を開状態にする。
次に、ステップＳ３において、フィルター９が複数の第１リブ８２の各々の先端を覆うようにフィルター９をフィルターカバー８に配置する。
次に、ステップＳ５において、フィルター９の両側端部（一方側端部９１及び他方側端部９２）をフィルターカバー８に固定する。
次に、ステップＳ７において、フィルターカバー８を閉状態にして、フィルターユニット６３の組立が終了する。
【００５６】
以上、図２〜図４を参照して説明したように、本発明の実施形態では、少ない手順でフィルターユニット６３を組み立てることができる。また、同様にして、少ない手順でフィルターユニット６３のフィルター９を交換できる。したがって、ユーザーの利便性を向上できる。
【００５７】
次に、図２、図３及び図５を参照して、回転部材８２１の構成について説明する。図５は、回転部材８２１の構成を示す図である。図５（ａ）は、第１実施形態に係る回転部材８２１の構成を示す図である。図５（ａ）に示すように、回転部材８２１は、回転軸８２１ａと３つの分割ローラー８２１ｂとを備える。
【００５８】
回転軸８２１ａの両端は、第１リブ８２に固定されている。回転軸８２１ａは、分割ローラー８２１ｂを回転自在に支持する。
【００５９】
分割ローラー８２１ｂは、幅狭のローラーであって、回転軸８２１ａに回転自在に配置されている。３つの分割ローラー８２１ｂの各々は、回転軸８２１ａのＹ軸方向の両端部と中央部とに配置されている。
【００６０】
以上、図２、図３及び図５（ａ）を参照して説明したように、第１実施形態に係る回転部材８２１は、３つの分割ローラー８２１ｂを備えるため、第１リブ８２に対してフィルター９が移動し易くなる。したがって、フィルターカバー８を開状態から閉状態にする際にフィルター９が第１リブ８２によって損傷を受ける可能性を低減できる。
【００６１】
図５（ｂ）は、第２実施形態に係る回転部材８２１の構成を示す図である。図５（ｂ）に示すように、回転部材８２１は、回転軸８２１ａとローラー８２１ｃとを備える。
【００６２】
回転軸８２１ａの両端は、第１リブ８２に固定されている。回転軸８２１ａは、ローラー８２１ｃを回転自在に支持する。
【００６３】
ローラー８２１ｃは、回転軸８２１ａに回転自在に配置されている。ローラー８２１ｃのＹ軸方向の長さは、フィルター９のＹ軸方向のサイズより大きい。
【００６４】
以上、図２、図３及び図５（ｂ）を参照して説明したように、第２実施形態に係る回転部材８２１は、ローラー８２１ｃを備えるため、第１リブ８２に対してフィルター９が移動し易くなる。また、ローラー８２１ｃのＹ軸方向の長さは、フィルター９のＹ軸方向のサイズより大きいため、ローラー８２１ｃがフィルター９のＹ軸方向の全長を支持する。したがって、フィルターカバー８を開状態から閉状態にする際にフィルター９が第１リブ８２によって損傷を受ける可能性を更に低減できる。
【００６５】
図５（ｃ）は、第３実施形態に係る回転部材８２１の構成を示す図である。図５（ｃ）に示すように、回転部材８２１は、回転軸８２１ａのみで構成されている。
【００６６】
回転軸８２１ａの両端は、第１リブ８２に回転自在に支持されている。回転軸８２１ａは、フィルター９のＹ軸方向の全長を支持する。
【００６７】
以上、図２、図３及び図５（ｃ）を参照して説明したように、第３実施形態に係る回転部材８２１は、回転軸８２１ａのみで構成されているため、フィルターユニット６３を更に安価に製造できる。また、回転軸８２１ａが、フィルター９のＹ軸方向の全長を支持する。したがって、フィルターカバー８を開状態から閉状態にする際にフィルター９が第１リブ８２によって損傷を受ける可能性を更に低減できる。
【００６８】
次に、図２、図３及び図６を参照して、第２リブ７２の構成について説明する。図６は、第２リブ７２の構成を示す図である。図６（ａ）は、第１実施形態に係る第２リブ７２の構成を示す図である。
【００６９】
図６（ａ）に示すように、第２リブ７２は、略矩形平板状に形成され、基端部７２１と先端部７２２とを備える。
【００７０】
基端部７２１は、第２カバー本体７１に固定される。フィルターカバー８が閉状態において、先端部７２２は、フィルター９を支持する。先端部７２２のＹ軸方向の両側端部にはテーパーＴＰが形成されている。
【００７１】
以上、図２、図３、及び図６（ａ）を参照して説明したように、第１実施形態に係る第２リブ７２の先端部７２２のＹ軸方向の両側端部にはテーパーＴＰが形成されている。したがって、フィルター９が先端部７２２のＹ軸方向の両側端部に当接した場合にも、フィルターカバー８を開状態から閉状態にする際にフィルター９が第２リブ７２によって損傷を受ける可能性を低減できる。
【００７２】
図６（ｂ）は、第２実施形態に係る第２リブ７２の構成を示す図である。図６（ｂ）に示すように、第２リブ７２は、基端部材７２３と、複数の先端部材７２４とを備える。
【００７３】
基端部材７２３は、略矩形平板状に形成され、第２カバー本体７１に固定される。
【００７４】
複数の先端部材７２４の各々は、略半円形の平板状に形成され、Ｘ軸の負方向側の端部が基端部材７２３に固定されている。複数の先端部材７２４の各々のＸ軸の正方向側の端部は、フィルター９を支持する。複数の先端部材７２４のうちの互いに隣接する２つの先端部材７２４の間には、間隙７２５が形成されている。
【００７５】
以上、図２、図３及び図６（ｂ）を参照して説明したように、第２実施形態に係る第２リブ７２は、複数の先端部材７２４を備える。複数の先端部材７２４のうちの互いに隣接する２つの先端部材７２４の間には、間隙７２５が形成されている。よって、間隙７２５をファン６１から送出された空気流が流れる。したがって、フィルターユニット６３の空気抵抗を低減できる。
【００７６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７７】
（１）図１〜図３を参照して説明したように、本発明の実施形態では、画像形成装置１００がカラー複合機であるが、本発明はこれに限定されない。画像形成装置が、画像形成部１４と、筐体１０と、ファン６１と、フィルターユニット６３とを備えればよい。例えば、画像形成装置が、モノクロコピー機でもよいし、カラープリンターでもよい。
【００７８】
（２）図１〜図３を参照して説明したように、フィルター９の両側端部（一方側端部９１及び他方側端部９２）が、フィルターカバー８に接着剤で接着されるが、本発明はこれに限定されない。フィルター９の両側端部が、フィルターカバー８（第１カバー本体８１）に固定されていればよい。例えば、フィルター９の両側端部が、両面テープによってフィルターカバー８に固定されてもよい。また、例えば、フィルター９の両側端部が、ネジ、又はビスによってフィルターカバー８に固定されてもよい。
【００７９】
（３）図１〜図３を参照して説明したように、第２外れ防止部材７４と第１外れ防止部材８４とが一方側端部９１に配置されるが、本発明はこれに限定されない。外れ防止部材が一方側端部９１及び他方側端部９２の少なくとも一方に配置されればよい。例えば、外れ防止部材が一方側端部９１及び他方側端部９２に配置されてもよい。
【産業上の利用可能性】
【００８０】
本発明は、画像形成装置、及びフィルターユニットの分野に利用可能である。
【符号の説明】
【００８１】
１００    画像形成装置
１    画像形成ユニット
１４    画像形成部
１６    定着部
６    排気ユニット
６１    ファン
６２    ダクト
６３    フィルターユニット
７    本体カバー
７１    第２カバー本体
７１１    支持孔
７２    第２リブ
７２３    基端部材
７２４    先端部材
７２５    間隙
７３    通気口
７４    第２外れ防止部材（外れ防止部材の一部）
８    フィルターカバー
８１    第１カバー本体
８１１    支軸
８２    第１リブ
８２１    回転部材
８２１ａ    回転軸
８３    通気口
８４    第１外れ防止部材（外れ防止部材の一部）
９    フィルター
９１    一方端
９２    他方端
Ｄ１    第１方向
Ｄ２    第２方向
【図１】
2019098227.tif 000003
【図２】
2019098227.tif 000004
【図３】
2019098227.tif 000005
【図４】
2019098227.tif 000006
【図５】
2019098227.tif 000007
【図６】
2019098227.tif 000008